(57)【要約】【課題】医療検査情報の解析の効率化を図り、難易度に応じて適材適所な人材を解析に割り当てること。【解決手段】医療検査情報（例えば、ホルタ情報）を解析する複数の解析医のスケジュールを管理する解析医スケジュール管理部４０４と、解析医に対して、スキルに対応する格付を行う解析医格付部４０３と、依頼者からの解析依頼および格付の要求に応じて、複数の解析医の中から、スケジュールおよび格付に適合する解析医を選択し、該解析医へ当該医療検査情報の解析を手配する解析医手配部４０７と、解析医から医療検査情報の解析結果を受け付け、該解析結果を依頼者へ通知する解析結果通知部４０９とを備えている。【選択図】      図１
2004287502.tif 000002
【特許請求の範囲】
【請求項１】
コンピュータを、
医療検査情報を解析する複数の解析者のスケジュールおよびスキルに対応する格付を管理する解析者管理手段、
依頼者からの解析依頼および前記格付の要求に応じて、前記複数の解析者の中から、前記スケジュールおよび格付に適合する解析者を選択し、該解析者へ当該医療検査情報の解析を手配する解析手配手段、
前記解析者から前記医療検査情報の解析結果を受け付け、該解析結果を依頼者へ通知する解析結果通知手段、
として機能させるための医療解析支援プログラム。
【請求項２】
前記コンピュータを、前記複数の解析者に対して実施されたテストの結果に基づいて、前記格付を行う格付手段として機能させることを特徴とする請求項１に記載の医療解析支援プログラム。
【請求項３】
前記コンピュータを、前記解析者に対するスキルアップ用の教育コンテンツを保持しておき、前記教育コンテンツを用いた教育を支援する教育手段として機能させることを特徴とする請求項１または２に記載の医療解析支援プログラム。
【請求項４】
前記コンピュータを、前記複数の解析者間において、難読症例の対応についての情報交換を支援する情報交換支援手段として機能させることを特徴とする請求項１〜３のいずれか一つに記載の医療解析支援プログラム。
【請求項５】
前記医療検査情報は、ホルタ心電計から取得されるホルタ情報であることを特徴とする請求項１〜４のいずれか一つに記載の医療解析支援プログラム。
【請求項６】
医療検査情報を解析する複数の解析者のスケジュールおよびスキルに対応する格付を管理する解析者管理工程と、
依頼者からの解析依頼および前記格付の要求に応じて、前記複数の解析者の中から、前記スケジュールおよび格付に適合する解析者を選択し、該解析者へ当該医療検査情報の解析を手配する解析手配工程と、
前記解析者から前記医療検査情報の解析結果を受け付け、該解析結果を依頼者へ通知する解析結果通知工程と、
を含むことを特徴とする医療解析支援方法。
【請求項７】
前記複数の解析者に対して実施されたテストの結果に基づいて、前記格付を行う格付工程を含むことを特徴とする請求項６に記載の医療解析支援方法。
【請求項８】
前記解析者に対するスキルアップ用の教育コンテンツを保持しておき、前記教育コンテンツを用いた教育を支援する教育工程を含むことを特徴とする請求項６または７に記載の医療解析支援方法。
【請求項９】
前記複数の解析者間において、難読症例の対応についての情報交換を支援する情報交換支援工程を含むことを特徴とする請求項６〜８のいずれか一つに記載の医療解析支援方法。
【請求項１０】
前記医療検査情報は、ホルタ心電計から取得されるホルタ情報であることを特徴とする請求項６〜９のいずれか一つに記載の医療解析支援方法。
【請求項１１】
医療検査情報を解析する複数の解析者のスケジュールおよびスキルに対応する格付を管理する解析者管理手段と、
依頼者からの解析依頼および前記格付の要求に応じて、前記複数の解析者の中から、前記スケジュールおよび格付に適合する解析者を選択し、該解析者へ当該医療検査情報の解析を手配する解析手配手段と、
前記解析者から前記医療検査情報の解析結果を受け付け、該解析結果を依頼者へ通知する解析結果通知手段と、
を備えたことを特徴とする医療解析支援装置。
【請求項１２】
前記複数の解析者に対して実施されたテストの結果に基づいて、前記格付を行う格付手段を備えたことを特徴とする請求項１１に記載の医療解析支援装置。
【請求項１３】
前記解析者に対するスキルアップ用の教育コンテンツを保持しておき、前記教育コンテンツを用いた教育を支援する教育手段を備えたことを特徴とする請求項１１または１２に記載の医療解析支援装置。
【請求項１４】
前記複数の解析者間において、難読症例の対応についての情報交換を支援する情報交換支援手段を備えたことを特徴とする請求項１１〜１３のいずれか一つに記載の医療解析支援装置。
【請求項１５】
前記医療検査情報は、ホルタ心電計から取得されるホルタ情報であることを特徴とする請求項１１〜１４のいずれか一つに記載の医療解析支援装置。
【発明の詳細な説明】
【０００１】
【発明の属する技術分野】
本発明は、医療検査情報（例えば、ホルタ心電図情報）の解析支援に用いて好適な医療解析支援プログラム、医療解析支援方法および医療解析支援装置に関するものであり、特に、医療検査情報の解析の効率化を図り、難易度に応じて適材適所な人材を解析に割り当てることができる医療解析支援プログラム、医療解析支援方法および医療解析支援装置に関するものである。
【０００２】
【従来の技術】
ホルタ心電計は、携帯型の心電計であり、不整脈等の症状を呈する患者に対して、長時間（例えば、２４時間）連続して心電図を取得し、発症の頻度や時間、発症時の状態などを調査するために広く用いられている。
【０００３】
このホルタ心電計は、心電図を取得するための電極が設けられたリードと、リードから伝送される電気信号をホルタ心電図情報として、記憶装置（半導体メモリや磁気テープ等）に記憶させる本体とから構成されている。
【０００４】
そして、上記記憶が終了すると、ホルタ心電計からホルタ心電図情報が読み出された後、高度な医療知識を有する専門の解析医により、ホルタ心電図情報が解析され、不整脈等が発見される。
【０００５】
【特許文献１】
特開平６−１９７８７５号公報
【特許文献２】
特開２００２−１３２９５７号公報
【０００６】
【発明が解決しようとする課題】
ところで、前述したように、従来においては、ホルタ心電図情報等の医療検査情報を解析する場合、迅速性が問題となる。例えば、重度の心疾患を持つ患者に対しては、できるだけ速く解析結果を導き出し、早期治療を施さなければならない。
【０００７】
しかしながら、従来においては、一医療機関内（または同系列の複数の医療機関内）という極めて狭い中で解析医が解析を行う場合が多く、また、医療機関や各地域に解析医が偏在しているという状況で、需要と供給とがアンバランスにならざるを得ず、解析医への解析依頼の割り振りが非効率になる場合があった。
【０００８】
また、従来においては、解析医のスキルを客観的に判断し、統合管理するという仕組みが皆無に等しいため、様々な難易度を有する医療検査情報に対して、最適なスキルを有する解析医を割り当てることができない場合もあった。
【０００９】
本発明は、上記に鑑みてなされたもので、医療検査情報の解析の効率化を図り、難易度に応じて適材適所な人材を解析に割り当てることができる医療解析支援プログラム、医療解析支援方法および医療解析支援装置を提供することを目的とする。
【００１０】
【課題を解決するための手段】
上記目的を達成するために、請求項１にかかる発明は、コンピュータを、医療検査情報を解析する複数の解析者のスケジュールおよびスキルに対応する格付を管理する解析者管理手段、依頼者からの解析依頼および前記格付の要求に応じて、前記複数の解析者の中から、前記スケジュールおよび格付に適合する解析者を選択し、該解析者へ当該医療検査情報の解析を手配する解析手配手段、前記解析者から前記医療検査情報の解析結果を受け付け、該解析結果を依頼者へ通知する解析結果通知手段、として機能させるための医療解析支援プログラムである。
【００１１】
この発明によれば、医療検査情報を解析する複数の解析者のスケジュールおよびスキルに対応する格付を管理し、依頼者からの解析依頼および格付の要求に応じて、複数の解析者のうちスケジュールおよび格付に適合する最適な解析者へ当該医療検査情報の解析を手配し、医療検査情報の解析結果を受け付け、該解析結果を依頼者へ通知することとしたので、医療検査情報の解析の効率化を図り、難易度に応じて適材適所な人材を解析に割り当てることができる。
【００１２】
また、請求項２にかかる発明は、請求項１に記載の医療解析支援プログラムにおいて、前記コンピュータを、前記複数の解析者に対して実施されたテストの結果に基づいて、前記格付を行う格付手段として機能させることを特徴とする。
【００１３】
この発明によれば、複数の解析者に対して実施されたテストの結果に基づいて、格付を行うこととしたので、解析者のスキルを客観的な基準で管理することができる。
【００１４】
また、請求項３にかかる発明は、請求項１または２に記載の医療解析支援プログラムにおいて、前記コンピュータを、前記解析者に対するスキルアップ用の教育コンテンツを保持しておき、前記教育コンテンツを用いた教育を支援する教育手段として機能させることを特徴とする。
【００１５】
この発明によれば、解析者に対するスキルアップ用の教育コンテンツを保持しておき、教育コンテンツを用いた教育を支援することとしたので、解析者のスキルアップを図ることができる。
【００１６】
また、請求項４にかかる発明は、請求項１〜３のいずれか一つに記載の医療解析支援プログラムにおいて、前記コンピュータを、前記複数の解析者間において、難読症例の対応についての情報交換を支援する情報交換支援手段として機能させることを特徴とする。
【００１７】
この発明によれば、複数の解析者間において、難読症例の対応についての情報交換を支援することとしたので、複数の解析者間で情報共有が図られ、解析者全体のスキルをボトムアップさせることができる。
【００１８】
また、請求項５にかかる発明は、請求項１〜４のいずれか一つに記載の医療解析支援プログラムにおいて、前記医療検査情報は、ホルタ心電計から取得されるホルタ情報であることを特徴とする。
【００１９】
この発明によれば、ホルタ心電計から取得されるホルタ情報の解析においても効率化を図ることができ、難易度に応じて適材適所な人材を割り当てることができる。
【００２０】
また、請求項６にかかる発明は、医療検査情報を解析する複数の解析者のスケジュールおよびスキルに対応する格付を管理する解析者管理工程と、依頼者からの解析依頼および前記格付の要求に応じて、前記複数の解析者の中から、前記スケジュールおよび格付に適合する解析者を選択し、該解析者へ当該医療検査情報の解析を手配する解析手配工程と、前記解析者から前記医療検査情報の解析結果を受け付け、該解析結果を依頼者へ通知する解析結果通知工程と、を含むことを特徴とする。
【００２１】
この発明によれば、医療検査情報を解析する複数の解析者のスケジュールおよびスキルに対応する格付を管理し、依頼者からの解析依頼および格付の要求に応じて、複数の解析者のうちスケジュールおよび格付に適合する最適な解析者へ当該医療検査情報の解析を手配し、医療検査情報の解析結果を受け付け、該解析結果を依頼者へ通知することとしたので、医療検査情報の解析の効率化を図り、難易度に応じて適材適所な人材を解析に割り当てることができる。
【００２２】
また、請求項７にかかる発明は、請求項６に記載の医療解析支援方法において、前記複数の解析者に対して実施されたテストの結果に基づいて、前記格付を行う格付工程を含むことを特徴とする。
【００２３】
この発明によれば、複数の解析者に対して実施されたテストの結果に基づいて、格付を行うこととしたので、解析者のスキルを客観的な基準で管理することができる。
【００２４】
また、請求項８にかかる発明は、請求項６または７に記載の医療解析支援方法において、前記解析者に対するスキルアップ用の教育コンテンツを保持しておき、前記教育コンテンツを用いた教育を支援する教育工程を含むことを特徴とする。
【００２５】
この発明によれば、解析者に対するスキルアップ用の教育コンテンツを保持しておき、教育コンテンツを用いた教育を支援することとしたので、解析者のスキルアップを図ることができる。
【００２６】
また、請求項９にかかる発明は、請求項６〜８のいずれか一つに記載の医療解析支援方法において、前記複数の解析者間において、難読症例の対応についての情報交換を支援する情報交換支援工程を含むことを特徴とする。
【００２７】
この発明によれば、複数の解析者間において、難読症例の対応についての情報交換を支援することとしたので、複数の解析者間で情報共有が図られ、解析者全体のスキルをボトムアップさせることができる。
【００２８】
また、請求項１０にかかる発明は、請求項６〜９のいずれか一つに記載の医療解析支援方法において、前記医療検査情報は、ホルタ心電計から取得されるホルタ情報であることを特徴とする。
【００２９】
この発明によれば、ホルタ心電計から取得されるホルタ情報の解析においても効率化を図ることができ、難易度に応じて適材適所な人材を割り当てることができる。
【００３０】
また、請求項１１にかかる発明は、医療検査情報を解析する複数の解析者のスケジュールおよびスキルに対応する格付を管理する解析者管理手段と、依頼者からの解析依頼および前記格付の要求に応じて、前記複数の解析者の中から、前記スケジュールおよび格付に適合する解析者を選択し、該解析者へ当該医療検査情報の解析を手配する解析手配手段と、前記解析者から前記医療検査情報の解析結果を受け付け、該解析結果を依頼者へ通知する解析結果通知手段と、を備えたことを特徴とする。
【００３１】
この発明によれば、医療検査情報を解析する複数の解析者のスケジュールおよびスキルに対応する格付を管理し、依頼者からの解析依頼および格付の要求に応じて、複数の解析者のうちスケジュールおよび格付に適合する最適な解析者へ当該医療検査情報の解析を手配し、医療検査情報の解析結果を受け付け、該解析結果を依頼者へ通知することとしたので、医療検査情報の解析の効率化を図り、難易度に応じて適材適所な人材を解析に割り当てることができる。
【００３２】
また、請求項１２にかかる発明は、請求項１１に記載の医療解析支援装置において、前記複数の解析者に対して実施されたテストの結果に基づいて、前記格付を行う格付手段を備えたことを特徴とする。
【００３３】
この発明によれば、複数の解析者に対して実施されたテストの結果に基づいて、格付を行うこととしたので、解析者のスキルを客観的な基準で管理することができる。
【００３４】
また、請求項１３にかかる発明は、請求項１１または１２に記載の医療解析支援装置において、前記解析者に対するスキルアップ用の教育コンテンツを保持しておき、前記教育コンテンツを用いた教育を支援する教育手段を備えたことを特徴とする。
【００３５】
この発明によれば、解析者に対するスキルアップ用の教育コンテンツを保持しておき、教育コンテンツを用いた教育を支援することとしたので、解析者のスキルアップを図ることができる。
【００３６】
また、請求項１４にかかる発明は、請求項１１〜１３のいずれか一つに記載の医療解析支援装置において、前記複数の解析者間において、難読症例の対応についての情報交換を支援する情報交換支援手段を備えたことを特徴とする。
【００３７】
この発明によれば、複数の解析者間において、難読症例の対応についての情報交換を支援することとしたので、複数の解析者間で情報共有が図られ、解析者全体のスキルをボトムアップさせることができる。
【００３８】
また、請求項１５にかかる発明は、請求項１１〜１４のいずれか一つに記載の医療解析支援装置において、前記医療検査情報は、ホルタ心電計から取得されるホルタ情報であることを特徴とする。
【００３９】
この発明によれば、ホルタ心電計から取得されるホルタ情報の解析においても効率化を図ることができ、難易度に応じて適材適所な人材を割り当てることができる。
【００４０】
【発明の実施の形態】
以下、図面を参照して本発明にかかる医療解析支援プログラム、医療解析支援方法および医療解析支援装置の一実施の形態について詳細に説明する。
【００４１】
図１は、本発明にかかる一実施の形態の構成を示すブロック図である。この図には、解析依頼元と解析医との間で、医療検査情報（例えば、ホルタ心電図情報）の解析支援を行う医療解析支援システムが図示されている。
【００４２】
以下では、前述したホルタ心電図情報（以下では、単にホルタ情報という）を解析対象としての医療検査情報の具体例として説明する。
【００４３】
同図に示した医療解析支援システムにおいて、依頼元端末１００１  〜１００ｎ  は、ｎ台のコンピュータ端末（本体、ディスプレイ、キーボード、マウス等）であり、解析依頼元であって全国に点在する複数の医療機関にそれぞれ設けられている。これらの依頼元端末１００１  〜１００ｎ  は、ネットワーク２００を介して、医療解析支援装置４００にアクセス可能とされており、ホルタ情報の読み込み、解析依頼等を行う。
【００４４】
ネットワーク２００は、高セキュリティを有するＶＰＮ（Ｖｉｒｔｕａｌ  Ｐｒｉｖａｔｅ  Ｎｅｔｗｏｒｋ）や専用回線、インターネット、ローカルエリアネットワーク等である。
【００４５】
ここで、各医療機関においては、不整脈等の症状を呈する患者に対して前述したホルタ心電計（図示略）が使用され、このホルタ心電計により、長時間（例えば、２４時間）連続してホルタ情報が蓄積される。
【００４６】
リーダ１１０１  〜１１０ｎ  は、依頼元端末１００１  〜１００ｎ  にそれぞれ接続されており、ホルタ心電計に蓄積されたホルタ情報を読み込む機能を備えている。
【００４７】
解析医端末３００１  〜３００ｍ  は、ｍ台のコンピュータ端末（本体、ディスプレイ、キーボード、マウス等）であり、上記ホルタ情報を解析する複数の解析医側にそれぞれ設けられている。これらの解析医端末３００１  〜３００ｍ  は、ネットワーク２００を介して、医療解析支援装置４００にアクセス可能とされており、ホルタ情報の解析依頼の受付や、解析結果の通知等を行う。
【００４８】
医療解析支援装置４００は、依頼元端末１００１  〜１００ｎ  （解析依頼元の医療機関）と解析医端末３００１  〜３００ｍ  （解析医）との間にネットワーク２００を介して設けられており、ホルタ情報の解析支援を行うサーバとしての機能を備えている。
【００４９】
この医療解析支援装置４００は、解析医を格付けする機能、解析医のスケジュールを管理する機能、依頼元端末１００１  〜１００ｎ  からホルタ情報の解析を受け付ける機能、最適な解析医を選定し、当該解析医へホルタ情報の解析を依頼する機能、解析結果を管理する機能、解析医を教育する機能等を備えている。各機能の詳細については、後述する。
【００５０】
ここで、医療解析支援装置４００においては、解析医情報データベース４２０、解析依頼元情報データベース４３０、解析医スケジュール情報データベース４４０、解析工程管理情報データベース４５０、ホルタ情報データベース４６０、教育症例情報データベース４７０、難読症例問合せ情報データベース４８０およびテスト結果情報データベース４９０が用いられている。
【００５１】
以下では、図２〜図９を参照しつつ、各データベースのテーブル構造について説明する。図２に示した解析医情報データベース４２０は、解析医端末３００１  〜３００ｍ  （図１参照）にそれぞれ対応する解析医に関する解析医情報を格納するデータベースである。
【００５２】
この解析医情報データベース４２０は、「解析医ＩＤ」、「氏名」、「住所」、「所属」、「格付」、「電話番号」、「メールアドレス」、「緊急対応ステータス」、「最大可能件数」および「基本解析料金」というフィールドを備えている。
【００５３】
「解析医ＩＤ」は、各解析医に付与された識別子である。「氏名」は、解析医の氏名である。「住所」は、解析医の住所である。「所属」は、解析医の所属（企業、医療機関等）である。「格付」は、解析医のスキルを客観的に表す情報であり、格付評価用のテスト結果に基づいて、設定される。
【００５４】
「電話番号」および「メールアドレス」は、解析医の連絡先（電話番号、電子メールアドレス）である。「緊急対応ステータス」は、緊急度が高い解析を対応できるか否か（可：Ｙｅｓ、不可：Ｎｏ）を表す情報である。「最大可能件数」は、ホルタ情報の解析依頼について最大受付可能な件数である。「基本解析料金」は、ホルタ情報の解析１件あたりの基本料金である。
【００５５】
図３に示した解析依頼元情報データベース４３０は、依頼元端末１００１  〜１００ｎ  にそれぞれ対応する解析依頼元（医療機関）に関する依頼元情報を格納するデータベースである。
【００５６】
この解析依頼元情報データベース４３０は、「依頼元ＩＤ」、「名称」、「住所」、「電話番号」、「メールアドレス」、「担当者」、「解析医ＩＤ＿１」、「解析医ＩＤ＿２」および「解析医ＩＤ＿３」というフィールドを備えている。
【００５７】
「依頼元ＩＤ」は、ホルタ情報の解析に関する依頼元（医療機関）に付与された識別子である。「名称」は、依頼元の名称である。「住所」は、依頼元の住所である。「電話番号」および「メールアドレス」は、依頼元の連絡先（電話番号、電子メールアドレス）である。「担当者」は、依頼元の担当者である。
【００５８】
「解析医ＩＤ＿１」、「解析医ＩＤ＿２」および「解析医ＩＤ＿３」は、解析の依頼先で予め設定された依頼先（解析医）の優先順位を表す。具体的には、
「解析医ＩＤ＿１」は、優先順位が１の解析医ＩＤ（図２参照）である。「解析医ＩＤ＿２」は、優先順位が２の解析医ＩＤ（図２参照）である。「解析医ＩＤ＿３」は、優先順位が３の解析医ＩＤ（図２参照）である。
【００５９】
図４に示した解析医スケジュール情報データベース４４０は、解析医のスケジュールに関する解析医スケジュール情報を格納するデータベースである。この解析医スケジュール情報データベース４４０は、「解析医ＩＤ」、「日付」、「対応ステータス」、「解析中ステータス」および「解析受託可能件数」というフィールドを備えている。
【００６０】
「解析医ＩＤ」は、各解析医に付与された識別子であり、図２に示した「解析医ＩＤ」に対応している。「日付」は、スケジュール対象の日付である。「対応ステータス」は、ホルタ情報の解析について対応（依頼の受付）が可能であるか否か（可能：Ｙｅｓ、不可：Ｎｏ）を表す。「解析中ステータス」は、解析依頼を受託したホルタ情報について解析中であるか否か（解析中：Ｙｅｓ、未解析：Ｎｏ）を表す。「解析受託可能件数」は、当該解析医が解析依頼を受託可能な件数であり、図２に示した「最大可能件数」の範囲内とされる。
【００６１】
図５に示した解析工程管理情報データベース４５０は、医療解析支援装置４００から解析医へ依頼された案件（解析）の工程管理に関する解析工程管理情報を格納するデータベースである。
【００６２】
この解析工程管理情報データベース４５０は、「管理ＩＤ」、「依頼元ＩＤ」、「解析医ＩＤ」、「受付日時」、「解析医受付日時」、「解析完了日時」、「完了報告日時」、「解析受注料金」、「解析外注料金」、「患者ＩＤ」、「患者氏名」、「結果返信希望日時」、「結果返信予定日時」および「解析レポート受信日時」というフィールドを備えている。
【００６３】
「管理ＩＤ」は、解析工程の管理対象に付与された識別子である。「依頼元ＩＤ」は、当該解析の依頼元に付与された識別子であり、図３に示した「依頼元ＩＤ」に対応している。「解析医ＩＤ」は、当該解析を受託した解析医に付与された識別子であり、図２に示した「解析医ＩＤ」に対応している。
【００６４】
「受付日時」は、医療解析支援装置４００が、依頼元端末１００１  〜１００ｎ  （図１参照）のうちいずれかの依頼元端末（依頼元の医療機関）よりホルタ情報の解析依頼を受け付けた日時である。
【００６５】
「解析医受付日時」は、医療解析支援装置４００からの解析依頼を解析医端末（解析医端末３００１  〜３００ｍ  のうちいずれか）（解析医）が受け付けた日時である。「解析完了日時」は、解析医が受託したホルタ情報の解析を完了した日時である。「完了報告日時」は、医療解析支援装置４００から依頼元端末（依頼元端末１００１  〜１００ｎ  のうちいずれか）へ解析の完了を報告した日時である。
【００６６】
「解析受注料金」は、医療解析支援装置４００による医療解析支援サービスの運営会社から依頼元の医療機関への請求される金額である。「解析外注料金」は、運営会社から解析医へ支払われる金額である。
【００６７】
「患者ＩＤ」は、解析対象のホルタ情報に対応する患者に付与された識別子である。「患者氏名」は、当該患者の氏名である。「結果返信希望日時」は、当該ホルタ情報の解析結果である解析レポートの返信（医療解析支援装置４００から依頼元端末）に関する依頼元側の希望日時である。「結果返信予定日時」は、当該解析レポートの返信に関する予定日時である。「解析レポート受信日時」は、依頼元端末で解析レポートを実際に受信した日時である。
【００６８】
図６に示したホルタ情報データベース４６０は、解析対象であるホルタ情報を格納するデータベースである。
【００６９】
このホルタ情報データベース４６０は、「ホルタ情報ＩＤ」、「依頼元ＩＤ」、「解析医ＩＤ」、「患者ＩＤ」、「患者氏名」、「性別」、「年齢」、「解析状態」、「測定日時」、「解析完了日時」、「担当医師名」、「担当技師名」、「ホルタ情報」、「行動記録用紙情報」および「テスト解析ＩＤ」というフィールドを備えている。
【００７０】
「ホルタ情報ＩＤ」は、ホルタ情報に付与された識別子である。「依頼元ＩＤ」は、ホルタ情報の解析に関する依頼元（医療機関）に付与された識別子であり、図３に示した解析依頼元情報データベース４３０の「依頼元ＩＤ」に対応している。「解析医ＩＤ」は、当該ホルタ情報の解析を担当する解析医に付与された識別子であり、図２に示した解析医情報データベース４２０の「解析医ＩＤ」に対応している。
【００７１】
「患者ＩＤ」は、当該ホルタ情報に対応する患者に付与された識別子である。「患者氏名」は、当該患者の氏名である。「性別」は、当該患者の性別である。「年齢」は、当該患者の年齢である。「解析状態」は、当該ホルタ情報の解析状態（未解析／解析済み）を表す。「測定日時」は、ホルタ心電計によりホルタ情報が測定された日時である。「解析完了日時」は、解析医ＩＤに対応する解析医によりホルタ情報の解析が完了した日時であり、図５に示した解析工程管理情報データベース４５０の「解析完了日時」に対応している。
【００７２】
「担当医師名」は、当該患者を担当する医師の氏名である。「担当技師名」は、当該患者を担当する技師の氏名である。「ホルタ情報」は、ホルタ心電計より取得される心電図等の情報である。「行動記録用紙情報」は、当該患者がホルタ情報（心電図）をホルタ心電計で取得していたときの行動記録に関する情報である。「テスト解析ＩＤ」は、解析医を格付する場合のテストに当該ホルタ情報を用いる場合の識別子である。
【００７３】
図７に示した教育症例情報データベース４７０は、解析医に対するスキルアップ教育に用いられる教育症例に関する教育症例情報を格納するデータベースである。この教育症例情報データベース４７０は、「教育症例ＩＤ」、「分類」、「症例」、「画像ＵＲＬ（Ｕｎｉｆｏｒｍ  Ｒｅｓｏｕｒｃｅ  Ｌｏｃａｔｏｒ）」および「模範解答」というフィールドを備えている。
【００７４】
「教育症例ＩＤ」は、教育症例に付与された識別子である。「分類」は、教育症例の分類である。「症例」は、教育症例の具体例である。「画像ＵＲＬ」は、教育症例に関する心電図画像が格納された場所を表す。「模範解答」は、当該画像（心電図）の解析結果に関する模範解答である。
【００７５】
図８に示した難読症例問合せ情報データベース４８０は、難読症例（解析が難しい症例）についての問い合わせ（質問、回答）に関する難読症例問合せ情報を格納するデータベースである。
【００７６】
この難読症例問合せ情報データベース４８０は、「題名」、「内容」および「画像ＵＲＬ」というフィールドを備えている。「題名」は、問い合わせの題名である。「内容」は、問い合わせ内容（質問または回答）である。「画像ＵＲＬ」は、問い合わせに関する画像が格納された場所を表す。
【００７７】
図９に示したテスト結果情報データベース４９０は、解析医の格付を設定するためのテスト（テスト項目１〜３）の結果に関するテスト結果情報を格納するデータベースである。このテスト結果情報データベース４９０は、「解析医ＩＤ」、「評価１」、「評価２」および「評価３」というフィールドを備えている。
【００７８】
「解析医ＩＤ」は、格付される解析医に付与された識別子であり、図２に示した「解析医ＩＤ」に対応している。「評価１」は、テスト項目１に対する評価である。「評価２」は、テスト項目２に対する評価である。「評価３」は、テスト項目３に対する評価である。
【００７９】
図１に戻り、医療解析支援装置４００の解析医情報登録部４０１は、解析医情報データベース４２０（図２参照）に解析医情報を登録する機能を備えている。解析依頼元情報登録部４０２は、解析依頼元情報データベース４３０（図３参照）に解析依頼元情報を登録する機能を備えている。
【００８０】
解析医格付部４０３は、テストにより解析医を格付する機能を備えている。解析医スケジュール管理部４０４は、解析医スケジュール情報データベース４４０（図４参照）に基づいて、解析医のスケジュールを管理する機能を備えている。
【００８１】
解析工程管理部４０５は、解析工程管理情報データベース４５０（図５参照）に基づいて、解析医に解析を依頼されたホルタ情報の解析工程を管理する機能を備えている。解析依頼受付部４０６は、依頼元端末１００１  〜１００ｎ  からの解析依頼を受け付ける。解析医手配部４０７は、依頼元からの依頼に応じて、最適な解析医を手配する機能を備えている。
【００８２】
解析結果管理部４０８は、ホルタ情報の解析結果を管理する機能を備えている。解析結果通知部４０９は、解析結果を依頼元の依頼元端末へ通知する機能を備えている。解析医教育部４１０は、教育症例情報データベース４７０（図７参照）や難読症例問合せ情報データベース４８０（図８参照）に基づいて、解析医のスキルアップ教育や、難読症例の問い合わせ処理等を実行する。管理者端末５００は、医療解析支援装置４００の管理者により操作されるコンピュータ端末である。
【００８３】
つぎに、一実施の形態の動作について、図１０〜図１９に示した各種フローチャート、図２０〜図３９に示した各種画面を参照しつつ説明する。
【００８４】
（解析依頼処理）
はじめに、図１０を参照しつつ、解析依頼処理について説明する。この解析依頼処理では、依頼元端末（例えば、依頼元端末１００１）から医療解析支援装置４００へ、ある患者に対応するホルタ情報の解析を依頼するための処理が実行される。
【００８５】
具体的には、同図に示したステップＳＡ１では、依頼元端末１００１  は、ネットワーク２００を介して医療解析支援装置４００へ解析依頼処理用にアクセスする。これにより、ステップＳＢ１では、医療解析支援装置４００の解析依頼受付部４０６は、図２０に示した解析依頼画面６００を依頼元端末１００１  に表示させる。
【００８６】
この解析依頼画面６００は、当該ホルタ情報に対応する患者ＩＤ、患者氏名、性別、年齢、返送期限および格付等の解析依頼情報を入力するための画面である。なお、依頼元ＩＤおよび名称については、デフォルトで表示されている。
【００８７】
ステップＳＡ２では、依頼者により、解析依頼画面６００で解析依頼情報が入力された後、依頼元端末１００１  から医療解析支援装置４００へ解析依頼情報が送信される。
【００８８】
ステップＳＢ２では、医療解析支援装置４００の解析依頼受付部４０６は、依頼元端末１００１  からの解析依頼情報（図２０参照）を検索キーとして、解析医スケジュール情報データベース４４０（図４参照）および解析医情報データベース４２０（図２参照）から、条件に合致する最適解析医を検索する。
【００８９】
ここで、検索ヒットした場合、すなわち、最適解析医が検索された場合、ステップＳＢ３では、解析依頼受付部４０６は、検索結果を依頼元端末１００１  へ送信し、図２１に示した依頼情報確認画面６１０を依頼元端末１００１  に表示させる。
【００９０】
この依頼情報確認画面６１０には、最適解析医（検索結果）についての解析医ＩＤ、解析医の氏名、ステップＳＡ２で入力された解析依頼情報が表示されている。なお、ステップＳＢ２で検索ヒットしない場合、解析依頼受付部４０６は、図２２に示した受付不可画面６２０を依頼元端末１００１  に表示させる。
【００９１】
ステップＳＡ３では、依頼元端末１００１  の依頼者は、図２１に示した依頼情報確認画面６１０で最適解析医を確認し、解析を申し込む場合、申込ボタン６１１を押下する。なお、解析を申し込まない場合には、キャンセルボタン６１２が押下される。
【００９２】
ステップＳＢ４では、解析依頼受付部４０６は、図２３に示したホルタ情報読み込み画面６３０を依頼元端末１００１  に表示させる。このホルタ情報読み込み画面６３０は、解析対象のホルタ情報（行動記録用紙情報も含む）を読み込み、医療解析支援装置４００へ送信するための画面である。このホルタ情報読み込み画面６３０には、解析依頼情報（依頼元ＩＤ、依頼元の名称、患者ＩＤ、患者氏名、性別、年齢）が表示されている。
【００９３】
ステップＳＡ４では、依頼元端末１００１  の依頼者は、図２３に示したホルタ情報読み込み画面６３０で読み込み対象（行動記録用紙情報およびホルタ情報）を選択する。
【００９４】
具体的には、依頼者は、参照ボタン６３１で行動記録用紙情報の格納場所を選択した後、ホルタ情報の格納場所を参照ボタン６３２で選択する。行動記録用紙情報は、当該患者がホルタ情報（心電図）をホルタ心電計で取得していたときの行動記録に関する情報である。ここで、行動記録用紙情報は、依頼元端末１００１  の記憶装置に予め格納されているものとする。また、ホルタ情報は、予めリーダ１１０１  によりホルタ心電計から読み込まれた後、上記記憶装置に格納されているものとする。
【００９５】
そして、依頼者により内容確認ボタン６３３が押下されると、依頼元端末１００１  は、ホルタ情報（行動記録用紙情報）を医療解析支援装置４００へ送信する。
【００９６】
ステップＳＢ５では、医療解析支援装置４００の解析依頼受付部４０６は、解析依頼情報（図２０および図２１参照）を解析工程管理情報データベース４５０（図５参照）に格納した後、依頼元端末１００１  からのホルタ情報（行動記録用紙情報）をホルタ情報データベース４６０（図６参照）に格納する。
【００９７】
ステップＳＢ６では、解析依頼受付部４０６は、図２４に示した受付完了画面６４０を依頼元端末１００１  に表示させる。この受付完了画面６４０には、管理ＩＤ（図５参照）、解析医ＩＤ、氏名、患者ＩＤ、性別、年齢、返送期限等が表示されている。
【００９８】
ステップＳＡ５では、依頼元端末１００１  の依頼者は、受付完了画面６４０で、ホルタ情報の解析依頼に関する受付完了を確認した後、ＯＫボタン６４１を押下する。これにより、一連の解析依頼処理が終了する。
【００９９】
（解析状況確認処理）
つぎに、図１１を参照しつつ、解析状況確認処理について説明する。この解析状況確認処理では、依頼元端末（例えば、依頼元端末１００１）の依頼者が、解析依頼済みの案件について進行状況を確認するための処理が実行される。
【０１００】
具体的には、同図に示したステップＳＣ１では、依頼元端末１００１  は、ネットワーク２００を介して医療解析支援装置４００へ解析状況確認処理用にアクセスし、依頼元ＩＤを送信する。
【０１０１】
これにより、ステップＳＤ１では、医療解析支援装置４００の解析工程管理部４０５は、依頼元ＩＤをキーとして、解析医情報データベース４２０、解析工程管理情報データベース４５０および解析依頼元情報データベース４３０から解析状況を検索する。
【０１０２】
ステップＳＤ２では、解析工程管理部４０５は、ステップＳＤ１の検索結果に基づいて、図２５に示した解析状況確認画面６５０を依頼元端末１００１  に表示させる。この解析状況確認画面６５０には、依頼元ＩＤに対応する当該依頼元の医療機関が解析を依頼している案件に関する進行状況が表示されている。
【０１０３】
具体的には、解析状況確認画面６５０には、依頼元ＩＤ、名称、解析依頼日時、受付日時、患者ＩＤ、管理ＩＤ、返信希望日時、返信予定日時、解析医氏名、格付、状態、解析レポート（の有無）等に関する情報が表示されている。
【０１０４】
ステップＳＣ２では、依頼元端末１００１  の依頼者は、解析状況確認画面６５０（図２５参照）より解析の進行状況を確認する。ここで、解析が完了してる場合には、解析状況確認画面６５０の解析レポートには、「Ｄｏｗｎ  Ｌｏａｄ」ボタンが表示される。
【０１０５】
この場合、ステップＳＣ３では、依頼元端末１００１  の依頼者により「Ｄｏｗｎ  Ｌｏａｄ」ボタンが押下され、依頼元端末１００１  は、当該解析レポートのダウンロードを要求する。
【０１０６】
ステップＳＤ３では、解析工程管理部４０５は、ホルタ情報データベース４６０から要求された解析レポートを検索する。ステップＳＤ４では、解析工程管理部４０５は、依頼元端末１００１  へ解析レポートを送信する。ステップＳＣ４では、依頼元端末１００１  は、医療解析支援装置４００からの解析レポートを受信する。ステップＳＣ５では、依頼元端末１００１  の依頼者は、解析レポートを確認する。
【０１０７】
（解析結果管理処理）
つぎに、図１２を参照しつつ、解析結果管理処理について説明する。この解析結果管理処理では、医療解析支援装置４００の管理者が、解析済みの案件について解析結果を解析依頼元毎に確認するための処理が実行される。
【０１０８】
具体的には、同図に示したステップＳＥ１では、管理者端末５００は、ネットワーク２００を介して医療解析支援装置４００へ解析結果管理処理用にアクセスし、依頼元ＩＤを送信する。
【０１０９】
これにより、ステップＳＦ１では、医療解析支援装置４００の解析結果管理部４０８は、依頼元ＩＤをキーとして、解析医情報データベース４２０、解析工程管理情報データベース４５０および解析依頼元情報データベース４３０から解析結果を検索する。
【０１１０】
ステップＳＦ２では、解析結果管理部４０８は、ステップＳＦ１の検索結果に基づいて、図２６に示した解析結果管理画面６６０を管理者端末５００に表示させる。この解析結果管理画面６６０には、依頼元ＩＤに対応する解析結果が表示されている。
【０１１１】
具体的には、解析結果管理画面６６０には、管理ＩＤ、患者ＩＤ、患者名、返信希望日時、解析医氏名、格付、解析医受付日時、返信予定日時、解析完了日時、解析レポート、受信日時等に関する情報が表示されている。
【０１１２】
ステップＳＥ２では、管理者端末５００の管理者は、解析結果管理画面６６０（図２６参照）より依頼元毎に解析結果を確認する。ここで、別の依頼元の解析結果を確認する場合には、解析結果管理画面６６０の依頼元選択にて、別の依頼元に対応する依頼元ＩＤが選択される。これにより、当該依頼元ＩＤに対応する解析結果が表示される。
【０１１３】
（解析医格付処理）
つぎに、図１３を参照しつつ、解析医格付処理について説明する。この解析医格付処理では、解析医に対して予め実施されるテストの結果に基づいて、スキルを表す格付を行うための処理が実行される。
【０１１４】
具体的には、同図に示したステップＳＧ１では、管理者端末５００は、ネットワーク２００を介して医療解析支援装置４００へ解析医格付処理用にアクセスする。この場合、各解析医に対してテストが実施されており、テスト結果情報データベース４９０にテスト結果が格納されているものとする。
【０１１５】
ステップＳＨ１では、医療解析支援装置４００の解析医格付部４０３は、解析医情報データベース４２０およびテスト結果情報データベース４９０からテスト解析評価（テスト結果）を検索する。ステップＳＨ２では、解析医格付部４０３は、図２７に示したテスト結果評価画面６７０を管理者端末５００に表示させる。
【０１１６】
ステップＳＧ２では、管理者は、管理者端末５００を用いて、テスト結果および解析医を選択し、テスト解析結果毎の評価情報を入力する。これにより、管理者端末５００は、評価情報をテスト結果情報として医療解析支援装置４００へ送信する。
【０１１７】
ステップＳＨ３では、解析医格付部４０３は、テスト結果情報をテスト結果情報データベース４９０（図９参照）に格納する。ステップＳＨ４では、解析医格付部４０３は、図２８に示した解析医格付画面６８０を管理者端末５００に表示させる。
【０１１８】
ステップＳＧ３では、管理者は、管理者端末５００を用いて、テスト結果により総合的に判定された解析医の格付情報を入力する。これにより、管理者端末５００は、格付情報および解析医ＩＤを医療解析支援装置４００へ送信する。
【０１１９】
ステップＳＨ５では、医療解析支援装置４００の解析医格付部４０３は、管理者端末５００からの解析医ＩＤをキーとして、格付情報を解析医情報データベース４２０（図２参照）に登録する。
【０１２０】
（教育症例登録処理）
つぎに、図１４を参照しつつ、教育症例登録処理について説明する。この教育症例登録処理では、解析医のスキルアップ教育に用いられる教育症例情報を教育症例情報データベース４７０に登録するための処理が実行される。
【０１２１】
具体的には、同図に示したステップＳＩ１では、管理者端末５００は、ネットワーク２００を介して医療解析支援装置４００へ教育症例登録処理用にアクセスする。
【０１２２】
ステップＳＪ１では、医療解析支援装置４００の解析医教育部４１０は、図２９に示した教育症例登録画面６９０を管理者端末５００に表示させる。この教育症例登録画面６９０には、分類、症例、画像ＵＲＬ（心電図画像の選択）および模範解答を入力するための画面である。
【０１２３】
ステップＳＩ２では、管理者は、管理者端末５００を用いて、教育症例登録画面６９０に教育症例情報を入力する。これにより、管理者端末５００は、教育症例情報を医療解析援装置４００へ送信する。
【０１２４】
ステップＳＪ２では、解析医教育部４１０は、管理者端末５００からの教育症例情報を教育症例情報データベース４７０（図７参照）に登録する。この教育症例情報は、解析医の教育に用いられる。
【０１２５】
（解析対応状況登録処理）
つぎに、図１５を参照しつつ、解析対応状況登録処理について説明する。この解析対応状況登録処理では、解析医の対応状況（対応ステータス、解析受託件数等）を解析医スケジュール情報データベース４４０に登録するための処理が実行される。
【０１２６】
具体的には、同図に示したステップＳＫ１では、例えば、解析医端末３００１  は、ネットワーク２００を介して医療解析支援装置４００へ解析対応状況登録処理用にアクセスする。
【０１２７】
ステップＳＬ１では、医療解析支援装置４００の解析医スケジュール管理部４０４は、図３０に示した解析対応状況登録画面７００を解析医端末３００１  に表示させる。この解析対応状況登録画面７００は、解析医が解析可能であるか否かという解析対応状況を入力するための画面であり、解析可能ボタン７０１および解析不能ボタン７０２を有している。
【０１２８】
ここで、解析可能ボタン７０１は、当該解析医がホルタ情報の解析が可能な状況にある場合に押下される。一方、解析不能ボタン７０２は、当該解析医がホルタ情報の解析ができない状況にある場合に押下される。
【０１２９】
ステップＳＫ２では、解析医は、解析医端末３００１  を用いて、解析対応状況登録画面７００に解析対応状況を入力すべく、解析可能ボタン７０１または解析不能ボタン７０２を押下する。これにより、解析医端末３００１  は、解析医ＩＤとともに、対応状況を対応ステータス（解析可能ボタン７０１が押下された場合、「Ｙｅｓ」、解析不能ボタン７０２が押下された場合、「Ｎｏ」）として医療解析支援装置４００へ送信する。
【０１３０】
ステップＳＬ２では、解析医スケジュール管理部４０４は、解析医端末３００１  からの解析対応状況（解析医ＩＤおよび対応ステータス）を解析医スケジュール情報データベース４４０（図４参照）に格納する。
【０１３１】
ステップＳＬ３では、解析医スケジュール管理部４０４は、図３１に示した解析受託可能件数入力画面７１０を解析医端末３００１  に表示させる。この解析受託可能件数入力画面７１０は、解析医に解析対応受託可能件数を入力させるための画面である。
【０１３２】
ステップＳＫ３では、解析医は、解析医端末３００１  を用いて、解析受託可能件数入力画面７１０に解析受託可能件数を入力した後、ＯＫボタン７１１を押下する。これにより、解析医端末３００１  は、解析医ＩＤとともに、解析受託可能件数を医療解析支援装置４００へ送信する。
【０１３３】
ステップＳＬ４では、解析医スケジュール管理部４０４は、解析医端末３００１  からの解析受託可能件数を解析医スケジュール情報データベース４４０（図４参照）に格納する。
【０１３４】
ステップＳＬ５では、解析医スケジュール管理部４０４は、図３２に示した現在解析対応状況画面７２０を解析医端末３００１  に表示させる。この現在解析対応状況画面７２０は、当該解析医の現在の解析対応状況を表す画面である。ステップＳＫ４では、当該解析医は、現在解析対応状況画面７２０で現在の解析対応状況を確認し、依頼発注通知を待つ。
【０１３５】
（解析受付処理）
つぎに、図１６を参照しつつ、解析受付処理について説明する。この解析受付処理では、解析医が、医療解析支援装置４００を経由して、依頼元からの解析依頼を受け付けるための処理が実行される。
【０１３６】
具体的には、同図に示したステップＳＭ１では、例えば、解析医端末３００１  は、ネットワーク２００を介して医療解析支援装置４００へ解析受付処理用にアクセスし、解析医ＩＤを送信する。
【０１３７】
ステップＳＮ１では、医療解析支援装置４００の解析医手配部４０７は、解析医ＩＤをキーとして、解析依頼元情報データベース４３０、解析工程管理情報データベース４５０およびホルタ情報データベース４６０から解析依頼状況を検索する。この解析依頼状況は、当該解析医に対してホルタ情報の解析が依頼されている状況を表す。
【０１３８】
ステップＳＮ２では、解析医手配部４０７は、図３３に示した解析依頼一覧画面７３０を解析医端末３００１  に表示させる。この解析依頼一覧画面７３０は、上記解析依頼状況に対応しており、依頼元、患者ＩＤ、患者氏名、管理ＩＤ、結果返信希望日時、受付確認、解析医受付日時、結果返信予定日時、完了報告、解析完了日時等のフィールドを備えている。
【０１３９】
ステップＳＭ２では、解析医は、解析医端末３００１  を用いて、解析依頼一覧画面７３０から自身が解析を受け付ける案件を選択し、この案件に対応する受付確認ボタン７３１を押下する。これにより、解析医端末３００１  は、受付確認の情報、依頼元ＩＤおよび患者ＩＤを医療解析支援装置４００へ送信する。
【０１４０】
ステップＳＮ３では、医療解析支援装置４００の解析医手配部４０７は、依頼元ＩＤおよび患者ＩＤをキーとして、ホルタ情報データベース４６０および解析工程管理情報データベース４５０から解析情報（患者ＩＤ、性別、年齢、結果返信希望日時等）を検索する。
【０１４１】
ステップＳＮ４では、解析医手配部４０７は、図３４に示した解析受付確認画面７４０を解析医端末３００１  に表示させる。この解析受付確認画面７４０は、上記解析情報に対応しており、解析医に解析の受付を確認させるための画面である。
【０１４２】
ステップＳＭ３では、解析医は、解析医端末３００１  を用いて、解析受付確認画面７４０の内容を確認し、結果返信予定日時を入力した後、受付ボタン７４１を押下する。これにより、解析医端末３００１  は、解析医ＩＤおよび返信結果予定日時の情報を医療解析支援装置４００へ送信する。
【０１４３】
ステップＳＮ５では、医療解析支援装置４００の解析医手配部４０７は、解析工程管理情報データベース４５０に返信結果予定日時の情報と、解析医受付日時とを格納する。ステップＳＮ６では、解析医手配部４０７は、解析医受付日時および結果返信予定日時を反映させた解析依頼一覧画面７３０（図３３参照）を解析医端末３００１  に表示させる。ステップＳＭ４では、解析医は、解析医端末３００１  に表示された上記解析依頼一覧画面７３０を確認する。これにより、解析医は、受け付けた解析に着手する。
【０１４４】
（解析完了報告処理）
つぎに、図１７を参照しつつ、解析完了報告処理について説明する。この解析完了報告処理では、解析医が、ホルタ情報の解析を完了させた場合に、医療解析支援装置４００および依頼元へ報告するための処理が実行される。
【０１４５】
具体的には、同図に示したステップＳＯ１では、例えば、解析医端末３００１  は、ネットワーク２００を介して医療解析支援装置４００へ解析完了報告処理用にアクセスし、解析医ＩＤを送信する。
【０１４６】
ステップＳＰ１では、医療解析支援装置４００の解析結果管理部４０８は、解析医ＩＤをキーとして、解析依頼元情報データベース４３０、解析工程管理情報データベース４５０およびホルタ情報データベース４６０から解析依頼状況を検索する。この解析依頼状況は、当該解析医に対してホルタ情報の解析が依頼されている状況を表す。
【０１４７】
ステップＳＰ２では、解析結果管理部４０８は、図３３に示した解析依頼一覧画面７３０を解析医端末３００１  に表示させる。この解析依頼一覧画面７３０は、上記解析依頼状況に対応しており、依頼元、患者ＩＤ、患者氏名、管理ＩＤ、結果返信希望日時、受付確認、解析医受付日時、結果返信予定日、完了報告、解析完了日時等のフィールドを備えている。
【０１４８】
ステップＳＯ２では、解析医は、解析医端末３００１  を用いて、解析依頼一覧画面７３０から自身が解析を完了した案件を選択し、この案件に対応する完了報告ボタン７３２を押下する。これにより、解析医端末３００１  は、完了報告の情報、依頼元ＩＤおよび患者ＩＤを医療解析支援装置４００へ送信する。
【０１４９】
ステップＳＰ３では、医療解析支援装置４００の解析結果管理部４０８は、依頼元ＩＤおよび患者ＩＤをキーとして、ホルタ情報データベース４６０および解析工程管理情報データベース４５０から解析情報（患者ＩＤ、性別、年齢、結果返信希望日時等）を検索する。
【０１５０】
ステップＳＰ４では、解析結果管理部４０８は、解析情報を解析レポートとしてＰＤＦ（Ｐｏｒｔａｂｌｅ  Ｄｏｃｕｍｅｎｔ  Ｆｏｒｍａｔ）化する。ステップＳＰ５では、解析結果管理部４０８は、図３５に示した解析完了報告画面７５０を解析医端末３００１  に表示させる。
【０１５１】
この解析完了報告画面７５０は、上記解析情報および解析レポートに対応しており、解析医に解析の完了報告の内容を確認させるための画面である。
【０１５２】
ステップＳＯ３では、解析医は、解析医端末３００１  を用いて、解析完了報告画面７５０の解析レポートの欄に解析結果を入力し、内容を確認した後、報告ボタン７５１を押下する。これにより、解析医端末３００１  は、完了報告の情報および解析医ＩＤを医療解析支援装置４００へ送信する。
【０１５３】
ステップＳＰ６では、医療解析支援装置４００の解析結果管理部４０８は、解析工程管理情報データベース４５０に解析完了日時の情報を格納する。ステップＳＰ７では、解析結果管理部４０８は、解析完了日時を反映させた解析依頼一覧画面７３０（図３３参照）を解析医端末３００１  に表示させる。
【０１５４】
ステップＳＯ４では、解析医は、解析が完了した案件について、解析医端末３００１  に表示された上記解析依頼一覧画面７３０を確認する。なお、一実施の形態においては、解析結果通知部４０９が依頼元端末に対して、依頼元に指定された日時に当該解析結果を自動通知するようにしてもよい。
【０１５５】
（教育症例照会処理）
つぎに、図１８を参照しつつ、教育症例照会処理について説明する。この教育症例照会処理では、解析医が、スキルアップを目的として、教育症例情報データベース４７０（図７参照）の教育症例を照会するための処理が実行される。
【０１５６】
具体的には、同図に示したステップＳＱ１では、例えば、解析医端末３００１  は、ネットワーク２００を介して医療解析支援装置４００へ教育症例照会処理用にアクセスする。
【０１５７】
ステップＳＲ１では、医療解析支援装置４００の解析医教育部４１０は、図３６に示した教育症例検索画面７６０を解析医端末３００１  に表示させる。この教育症例検索画面７６０は、教育症例を検索するための検索条件（分類、検索キーワード）を入力するための画面である。
【０１５８】
ステップＳＱ２では、解析医は、解析医端末３００１  を用いて、教育症例検索画面７６０で分類を選択、検索キーワードを入力した後、検索ボタン７６１を押下する。これにより、解析医端末３００１  は、検索条件（分類、検索キーワード）を医療解析支援装置４００へ送信する。
【０１５９】
ステップＳＲ２では、医療解析支援装置４００の解析医教育部４１０は、解析医端末３００１  からの検索条件をキーとして、教育症例情報データベース４７０（図７参照）から教育症例を検索する。
【０１６０】
ステップＳＲ３では、解析医教育部４１０は、図３７に示した教育症例検索結果画面７７０を解析医端末３００１  に表示させる。この教育症例検索結果画面７７０は、ステップＳＲ２の検索結果に対応している。
【０１６１】
ステップＳＱ３では、解析医は、解析医端末３００１  を用いて、教育症例情報データベース４７０から参照したい教育症例を選択する。これにより、解析医端末３００１  は、選択された教育症例に対応する教育症例ＩＤを医療解析支援装置４００へ送信する。
【０１６２】
ステップＳＲ４では、医療解析支援装置４００の解析医教育部４１０は、教育症例ＩＤをキーとして、教育症例情報データベース４７０から教育症例情報を取得する。ステップＳＲ５では、解析医教育部４１０は、図３８に示した教育症例画面７８０を解析医端末３００１  に表示させる。この教育症例画面７８０は、ステップＳＲ４で取得された教育症例情報（教育症例ＩＤ、分類、症例、模範回答、心電図画像（画像ＵＲＬ））に対応している。
【０１６３】
ステップＳＱ４では、解析医は、解析医端末３００１  を用いて、教育症例画面７８０を確認し、教育症例について理解を深め、自身のスキルアップを図る。
【０１６４】
（難読症例問合せ処理）
つぎに、図１９を参照しつつ、難読症例問合せ処理について説明する。この難読症例問合せ処理では、解析医間で、解析が難しいとされる難読症例について質問／回答を支援するための処理が実行される。
【０１６５】
具体的には、同図に示したステップＳＳ１では、例えば、解析医（質問者または回答者）に対応する解析医端末３００１  は、ネットワーク２００を介して医療解析支援装置４００へ難読症例問合せ処理用にアクセスする。
【０１６６】
ステップＳＴ１では、医療解析支援装置４００の解析医教育部４１０は、難読症例問合せ情報データベース４８０（図８参照）から最新の１０件分の難読症問い合わせ情報を検索する。
【０１６７】
ステップＳＴ２では、解析医教育部４１０は、図３９に示した難読症例問合せ画面７９０を解析医端末３００１  に表示させる。この難読症例問合せ画面７９０には、難読症例の問合せ（質問または回答）の情報が入力される。
【０１６８】
ステップＳＳ２では、解析医（質問者または回答者）は、解析医端末３００１  を用いて、難読症例に関する質問または回答等の情報を入力する。これにより、解析医端末３００１  は、入力された情報を医療解析支援装置４００へ送信する。
【０１６９】
ステップＳＴ３では、解析医教育部４１０は、質問または回答等の情報を難読症例問合せ情報データベース４８０に格納する。ステップＳＴ４では、解析医教育部４１０は、質問や回答が反映された難読症例問合せ画面７９０を解析医端末３００１  に表示させる。
【０１７０】
ステップＳＳ３では、解析医（質問者または回答者）は、解析医端末３００１  を用いて、難読症例問合せ画面７９０より、難読症例について質問（または回答）を確認する。このように、難読症例問合せ画面７９０を電子掲示板のように用いることにより、難読症例について解析方法がわからない解析医（質問者）に対して、解析方法を熟知している別の解析医（回答者）がアドバイスをすることが可能となり、情報共有による解析医のスキルのボトムアップを図ることができる。
【０１７１】
以上説明したように、一実施の形態によれば、医療検査情報としてのホルタ情報を解析する複数の解析医のスケジュールおよびスキルに対応する格付を解析医情報データベース４２０や解析医スケジュール情報データベース４４０で管理し、依頼者からの解析依頼および格付の要求に応じて、複数の解析医のうちスケジュールおよび格付に適合する最適な解析医へ当該ホルタ情報の解析を手配し、ホルタ情報の解析結果を受け付け、該解析結果を依頼者へ通知することとしたので、ホルタ情報の解析の効率化を図り、難易度に応じて適材適所な人材を解析に割り当てることができる。
【０１７２】
また、一実施の形態によれば、図１３を参照して説明したように、複数の解析医に対して実施されたテストの結果に基づいて、格付を行うこととしたので、解析医のスキルを客観的な基準で管理することができる。
【０１７３】
また、一実施の形態によれば、図１８を参照して説明したように、解析医に対するスキルアップ用の教育症例情報（教育コンテンツ）を教育症例情報データベース４７０に登録しておき、教育症例情報を用いた教育を支援することとしたので、解析医のスキルアップを図ることができる。
【０１７４】
また、一実施の形態によれば、図１９を参照して説明したように、複数の解析医間において、難読症例問合せ画面７９０（図３９参照）を介して、難読症例の対応についての情報交換を支援することとしたので、複数の解析医間で情報共有が図られ、解析医全体のスキルをボトムアップさせることができる。
【０１７５】
以上本発明にかかる一実施の形態について図面を参照して詳述してきたが、具体的な構成例はこの一実施の形態に限られるものではなく、本発明の要旨を逸脱しない範囲の設計変更等があっても本発明に含まれる。
【０１７６】
例えば、前述した一実施の形態においては、医療解析支援装置４００の機能を実現するための医療解析支援プログラムを図４０に示したコンピュータ読み取り可能な記録媒体９００に記録して、この記録媒体９００に記録された医療解析支援プログラムを同図に示したコンピュータ８００に読み込ませ、実行することにより各機能を実現してもよい。
【０１７７】
同図に示したコンピュータ８００は、上記医療解析支援プログラムを実行するＣＰＵ（Ｃｅｎｔｒａｌ  Ｐｒｏｃｅｓｓｉｎｇ  Ｕｎｉｔ）８１０と、キーボード、マウス等の入力装置８２０と、各種データを記憶するＲＯＭ（Ｒｅａｄ  Ｏｎｌｙ  Ｍｅｍｏｒｙ）８３０と、演算パラメータ等を記憶するＲＡＭ（Ｒａｎｄｏｍ  Ａｃｃｅｓｓ  Ｍｅｍｏｒｙ）８４０と、記録媒体９００から医療解析支援プログラムを読み取る読取装置８５０と、ディスプレイ、プリンタ等の出力装置８６０と、装置各部を接続するバス８７０とから構成されている。
【０１７８】
ＣＰＵ８１０は、読取装置８５０を経由して記録媒体９００に記録されている医療解析支援プログラムを読み込んだ後、この医療解析支援プログラムを実行することにより、前述した機能を実現する。なお、記録媒体９００としては、光ディスク、フレキシブルディスク、ハードディスク等が挙げられる。
【０１７９】
【発明の効果】
以上説明したように、請求項１、６、１１にかかる発明によれば、医療検査情報を解析する複数の解析者のスケジュールおよびスキルに対応する格付を管理し、依頼者からの解析依頼および格付の要求に応じて、複数の解析者のうちスケジュールおよび格付に適合する最適な解析者へ当該医療検査情報の解析を手配し、医療検査情報の解析結果を受け付け、該解析結果を依頼者へ通知することとしたので、医療検査情報の解析の効率化を図り、難易度に応じて適材適所な人材を解析に割り当てることができるという効果を奏する。
【０１８０】
また、請求項２、７、１２にかかる発明によれば、複数の解析者に対して実施されたテストの結果に基づいて、格付を行うこととしたので、解析者のスキルを客観的な基準で管理することができるという効果を奏する。
【０１８１】
また、請求項３、８、１３にかかる発明によれば、解析者に対するスキルアップ用の教育コンテンツを保持しておき、教育コンテンツを用いた教育を支援することとしたので、解析者のスキルアップを図ることができるという効果を奏する。
【０１８２】
また、請求項４、９、１４にかかる発明によれば、複数の解析者間において、難読症例の対応についての情報交換を支援することとしたので、複数の解析者間で情報共有が図られ、解析者全体のスキルをボトムアップさせることができるという効果を奏する。
【０１８３】
また、請求項５、１０、１５にかかる発明によれば、ホルタ心電計から取得されるホルタ情報の解析においても効率化を図ることができ、難易度に応じて適材適所な人材を割り当てることができるという効果を奏する。
【図面の簡単な説明】
【図１】本発明にかかる一実施の形態の構成を示すブロック図である。
【図２】図１に示した解析医情報データベース４２０のテーブル構造を示す図である。
【図３】図１に示した解析依頼元情報データベース４３０のテーブル構造を示す図である。
【図４】図１に示した解析医スケジュール情報データベース４４０のテーブル構造を示す図である。
【図５】図１に示した解析工程管理情報データベース４５０のテーブル構造を示す図である。
【図６】図１に示したホルタ情報データベース４６０のテーブル構造を示す図である。
【図７】図１に示した教育症例情報データベース４７０のテーブル構造を示す図である。
【図８】図１に示した難読症例問合せ情報データベース４８０のテーブル構造を示す図である。
【図９】図１に示したテスト結果情報データベース４９０のテーブル構造を示す図である。
【図１０】同一実施の形態における解析依頼処理を説明するフローチャートである。
【図１１】同一実施の形態における解析状況確認処理を説明するフローチャートである。
【図１２】同一実施の形態における解析結果管理処理を説明するフローチャートである。
【図１３】同一実施の形態における解析医格付処理を説明するフローチャートである。
【図１４】同一実施の形態における教育症例登録処理を説明するフローチャートである。
【図１５】同一実施の形態における解析対応状況登録処理を説明するフローチャートである。
【図１６】同一実施の形態における解析受付処理を説明するフローチャートである。
【図１７】同一実施の形態における解析完了報告処理を説明するフローチャートである。
【図１８】同一実施の形態における教育症例照会処理を説明するフローチャートである。
【図１９】同一実施の形態における難読症例問合せ処理を説明するフローチャートである。
【図２０】同一実施の形態における解析依頼画面６００を示す図である。
【図２１】同一実施の形態における依頼情報確認画面６１０を示す図である。
【図２２】同一実施の形態における受付不可画面６２０を示す図である。
【図２３】同一実施の形態におけるホルタ情報読み込み画面６３０を示す図である。
【図２４】同一実施の形態における受付完了画面６４０を示す図である。
【図２５】同一実施の形態における解析状況確認画面６５０を示す図である。
【図２６】同一実施の形態における解析結果管理画面６６０を示す図である。
【図２７】同一実施の形態におけるテスト結果評価画面６７０を示す図である。
【図２８】同一実施の形態における解析医格付画面６８０を示す図である。
【図２９】同一実施の形態における教育症例登録画面６９０を示す図である。
【図３０】同一実施の形態における解析対応状況登録画面７００を示す図である。
【図３１】同一実施の形態における解析受託可能件数入力画面７１０を示す図である。
【図３２】同一実施の形態における現在解析対応状況画面７２０を示す図である。
【図３３】同一実施の形態における解析依頼一覧画面７３０を示す図である。
【図３４】同一実施の形態における解析受付確認画面７４０を示す図である。
【図３５】同一実施の形態における解析完了報告画面７５０を示す図である。
【図３６】同一実施の形態における教育症例検索画面７６０を示す図である。
【図３７】同一実施の形態における教育症例検索結果画面７７０を示す図である。
【図３８】同一実施の形態における教育症例画面７８０を示す図である。
【図３９】同一実施の形態における難読症例問合せ画面７９０を示す図である。
【図４０】同一実施の形態の変形例の構成を示すブロック図である。
【符号の説明】
１００１  〜１００ｎ  依頼元端末
２００  ネットワーク
３００１  〜３００ｍ  解析医端末
４００  医療解析支援装置
４０１  解析医情報登録部
４０２  解析依頼元情報登録部
４０３  解析医格付部
４０４  解析医スケジュール管理部
４０５  解析工程管理部
４０６  解析依頼受付部
４０７  解析医手配部
４０８  解析結果管理部
４０９  解析結果通知部
【図１】
2004287502.tif 000003
【図２】
2004287502.tif 000004
【図３】
2004287502.tif 000005
【図４】
2004287502.tif 000006
【図５】
2004287502.tif 000007
【図６】
2004287502.tif 000008
【図７】
2004287502.tif 000009
【図８】
2004287502.tif 000010
【図９】
2004287502.tif 000011
【図１０】
2004287502.tif 000012
【図１１】
2004287502.tif 000013
【図１２】
2004287502.tif 000014
【図１３】
2004287502.tif 000015
【図１４】
2004287502.tif 000016
【図１５】
2004287502.tif 000017
【図１６】
2004287502.tif 000018
【図１７】
2004287502.tif 000019
【図１８】
2004287502.tif 000020
【図１９】
2004287502.tif 000021
【図２０】
2004287502.tif 000022
【図２１】
2004287502.tif 000023
【図２２】
2004287502.tif 000024
【図２３】
2004287502.tif 000025
【図２４】
2004287502.tif 000026
【図２５】
2004287502.tif 000027
【図２６】
2004287502.tif 000028
【図２７】
2004287502.tif 000029
【図２８】
2004287502.tif 000030
【図２９】
2004287502.tif 000031
【図３０】
2004287502.tif 000032
【図３１】
2004287502.tif 000033
【図３２】
2004287502.tif 000034
【図３３】
2004287502.tif 000035
【図３４】
2004287502.tif 000036
【図３５】
2004287502.tif 000037
【図３６】
2004287502.tif 000038
【図３７】
2004287502.tif 000039
【図３８】
2004287502.tif 000040
【図３９】
2004287502.tif 000041
【図４０】
2004287502.tif 000042